(57)【要約】      （修正有）【課題】水泳のトレーニング時に体の一部が浮揚するようにした水泳用浮揚パットと水着とのセットを提供する。【解決手段】胴体や大腿部の前部と後部の形に合わせたゆるやかなカーブのＵ字状の浮揚パット１を水着２の内側につくった袋３に入れて入り口をボタン、ホック、又はフアスナーや面ファスナー８で浮揚パットが外に出ないようにすることにより、人の目を気にすることなく、水着のままで胴体、及び大腿部が水に浮き同時に足も浮いてくるためにより正しいフオームで水泳のトレーニングができる。【選択図】図６
0003188095.tif 000002
【実用新案登録請求の範囲】
【請求項１】
（１）人間の胴体部、及び大腿部の前部と後部の形に合うようなゆるやかなカーブのＵ字状の形状の浮揚パット。
（２）水着や水泳パンツの胴体部、及び大腿部の前と後の内側にもう一枚の水着と同じ生地で二重にして、下辺及び両側面部をぬい合せて浮揚パットが入る袋をつくり、その入口にはボタン、ホック又はファスナー、マジックテープなどでとめて、中の浮揚パットが飛び出さないようにする。
（３）水着の胴体部、及び大腿部の生地はより伸縮性が強い材質とする。
（４）伸縮する材質のバンド、たとえばマジックテープ、ゴムバンドなどで胴体部や大腿部を水着の上からしばる。
以上を特徴とする、水泳用浮揚パット＆水着。
【考案の詳細な説明】
【技術分野】
【０００１】水泳のトレーニング時に体の一部が浮揚する器具に関するものである。
【背景技術】
【０００２】水泳のトレーニング時に体をヒモで結んだり、股の間にはさんだり、手に持ったりして、体を浮かす補助器具は多数存在する。
【先行技術文献】
【０００３】体の一部を浮かして泳ぐ補助器具として
▲１▼ポリウレタン樹脂や、ポリエステル、発泡スチロール、ポリエチレン樹脂の重ね合せた板状の長方形の浮き板（ボード）。手に持ったり、体の下にあてたり、股の間にはさんだりして泳ぐ練習のための器具。大きさは、大（巾３０ｃｍ×長さ４０〜４５ｃｍ）や小（巾１７ｃｍ×長さ２５〜３０ｃｍ）、厚み３０〜４０ｍｍ。
▲２▼ヘチマ型の浮きマット。股、又は大腿部の間にはさんで足はあまり動かさずに手や腕、肩などの筋力アップのための補助器具。（厚み３，５〜８ｃｍ）、（巾１２ｃｍ〜長さ２３ｃｍ）。
▲３▼板状でその真中にバンドがあり、その中へ手や足を入れて、板で水をかき、より早く泳ぐための練習をする補助器具。
▲４▼四角、又は長方形の浮きマットを２〜４ケ所のヒモで体に結びつけたり、とめたりして、体を浮かして泳ぐ練習をする補助器具。
▲５▼円筒形で、中の穴にヒモを通して、そのヒモを腕や腹、足にまきつけて練習をする初心者用の補助器具。材質はポリウレタン、ポリエステル、ポリエチレル樹脂
▲６▼小さい空気袋で初心者が腕、胴、足などにヒモでまいて、おぼれないようにする補助器具。材質はＰ，Ｖ，Ｃ，塩化ビニール樹脂。
▲７▼ゴム製で長い水かきのついたクツで足を入れてより多くの水をかき、早く泳ぎスピード感を体感するための補助器具。スキューバーダイビングなどにも利用する。
▲８▼ドーナツ型の浮き輪、弱年者、初心者用としてドーナツの輪の中へ体を入れて、体を浮かして遊ぶ補助器具、材質はＰ，Ｖ，Ｃや塩化ビニール。
【考案の概要】
【０００４】水泳のトレーニング時に筋力の弱い高齢者や初心者は足から胴体にかけて、水に沈んでなかなか前へ進まない。水に沈むのを防ぐために胴体部、及び大腿部にゆるやかなカーブのＵ字状の厚み２０〜４０ｍｍの浮揚パットを水着の内側の前、後につくった袋に入れて、入り口をボタン、ホックなどでふたをして、胴体及び大腿部を水に浮かして、トレーニングをする。水泳の上達過程で浮揚パットの厚みは２，０、２，５、３，０、３，５、４０ｃｍと自由に入れかえのできる、胴体、及び大腿部、水泳浮揚パット＆水着。
【考案が解決しようとする課題】
【０００５】体力を維持するために、水泳をする高齢者や初心者が近年増えている。水泳は全身運動であり、体力維持のためにはより効果的であるが、高齢者や初心者は足や胴体部の筋力がないために水に沈んでなかなか前へ進まない。ビートボードなどの器具を手にもったり、体の下に置いたり、結びつけたりせずに、より自然体の水着姿で水面近くに体を浮かしトレーニングする方法はないのか。
【課題を解決するための手段】
【０００６】体の胴体部や大腿部の前と後の形状に合わせたゆるやかなカーブのＵ字状の浮揚パット、厚み２，０、２，５、３，０、３，５、４，０ｃｍとつくり、胴体と大腿部の寸法は体の大きさに合わせてＳ，Ｍ，Ｌ，ＬＬと子供用、大人用とつくる。材質はポリウレタン、ポリエチレン、ポリエステル、ポリプロピレン樹脂や、表をポリエステル、中を発泡スチロール、裏をポリエチレン樹脂の合成などでつくる。水泳パンツや水着の胴体部と大腿部の前と後の部分の内側にもう１枚の水着と同じ生地で二重にして下辺と両側面を、ぬい合せて袋状をつくり、入り口はボタンやホックの数個でその袋の中に入れた浮揚パットが外へ出ないように入り口をとめる。
また、袋の中のパットがぐらつかないように、水着の生地そのものを伸縮性の強いものにする方法とゴムバンド、マジックテープなどで水着の上からしばる。
本考案の浮揚パットを入れる箇所と数は上達の程度で使用する人が決める。
【考案の効果】
【０００７】ビートボード、又は浮揚板を手で持ったり、ヒモで水着の上にくくりつけたりをせずに本考案はトレーニングの前、又は途中でも自由に水着の中へ浮揚パットのスペアーを出し入れをすることができ、肌に直接にふれないで肌ざわりもよく、体の体型に合った形を選別できて、水着の中へかくれるために、人の目をあまり気にすることがない。更に水泳の上達具合で浮揚パットの厚みも、入れる箇所（胴体部、大腿部の前とうしろ）も自由にかえることができる、水泳用、浮揚パット＆水着。
【図面の簡単な説明】
【０００８】
【図１】本考案の正面図  （１）胴体部用  表、裏、  （２）大腿部用  表、裏、
【図２】本考案の側面図及び斜め図  （１）胴体部用  表、裏、  （２）大腿部用  表、裏、
【図３】本考案の上からの図  （１）胴体部用  表、裏、  （２）大腿部用  表、裏、
【図４】本考案を水着につけた図  （１）男子用  表、裏、  （２）女子用  表、裏、
【図５】伸縮する材質、ゴムバンド、又はマジックテープでしばった図
【図６】袋の上部  ボタンの図
【符号の説明】
【０００９】▲１▼ゆるやかなカーブのＵ字状の浮揚パット
▲２▼水着（海水パンツ）
▲３▼水着の二重の箇所
▲４▼膝
▲５▼胴部
▲６▼大腿部
▲７▼ズリ落ち防止用ヒモ：伸縮する材質ゴム又はマジックテープ
▲８▼ボタン、フック
【考案を実施するための形態】
【００１０】▲１▼本考案のゆるやかなカーブのＵ字状の浮揚パットの大きさを人間の胴体部、及び大腿部の前後の大きさに対応するためにＳ、Ｍ、Ｌ、ＬＬなどの寸法につくることにより、人、それぞれに合った寸法のものを選ぶことができるようにする。
▲２▼水着の胴体部と大腿部の前後の内側にもう一枚の水着と同じ生地で二重にして下辺と両側をぬいつけることにより、袋をつくり、その袋の中へ本考案の浮揚パットを入れる。
▲３▼水着の袋の入口には中から浮揚パットが飛び出さないように    ホックやボタン、又はファスナーやマジックテープなどでふたをする。
▲４▼激しい運動のために浮揚パットが体に密着しない場合や、水着が体にピッタリ合っていない場合は水着の材質を強い伸縮性のあるものにしたり、新たにずり落ち防止用の伸縮するゴム又はヒモ又はマジックテープなどでしばる。
▲５▼一般的にはクロール、平泳ぎ、バタフライの場合は体の前部に、背泳ぎの場合は後部に浮揚パットを入れるのがよいが、前と後の両方に入れる場合もある。
入れる場所と数は上達の過程で決めることができる。
【産業上の利用可能性】
【００１１】近年、健康指向により、スイミングの人口が増えてきている。高齢者や初心者に取ってはより強い筋力をつくって、より正しいフオームで、より美しく泳ぐことは誰れもが望むことであるが、しかし、なかなかスムースに泳げないのが現状である。
本考案を利用して、他人の目をあまり気にすることなく、練習をすることにより、より正しい筋カアップとフオームの確保が可能になり、水泳のトレーニングをすることが楽しくなると共に、いつも健康体であり続けて、前向きの人生を送るための高齢者、初心者向け、胴体、及び大腿部、水泳用浮揚パット＆水着。
【図１】
0003188095.tif 000003
【図２】
0003188095.tif 000004
【図３】
0003188095.tif 000005
【図４】
0003188095.tif 000006
【図５】
0003188095.tif 000007
【図６】
0003188095.tif 000008
【手続補正書】
【提出日】平成25年10月9日(2013.10.9)
【手続補正１】
【補正対象書類名】実用新案登録請求の範囲
【補正対象項目名】全文
【補正方法】変更
【補正の内容】
【実用新案登録請求の範囲】
【請求項１】
（１）人間の胴体部、及び大腿部の前部と後部の形に合うようなゆるやかなカーブのＵ字状の形状の浮揚パット。
（２）水着や水泳パンツの胴体部、及び大腿部の前と後の内側にもう一枚の水着と同じ生地で二重にして、下辺及び両側面部をぬい合せて浮揚パットが入る袋をつくり、その入り口にはボタン、ホック又はフアスナー、面フアスナーなどでとめて、中の浮揚パットが飛び出さないようにする。
（３）水着の胴体部、及び大腿部の生地はより伸縮性が強い材質とする。
（４）伸縮する材質のバンド、たとえば面フアスナー、ゴムバンドなどで胴体部や大腿部を水着の上からしばる。
以上を特徴とする、水泳用浮揚パットと水着とのセット。
【手続補正２】
【補正対象書類名】明細書
【補正対象項目名】全文
【補正方法】変更
【補正の内容】
【考案の詳細な説明】
【技術分野】
【０００１】水泳のトレーニング時に体の一部が浮揚する器具に関するものである。
【背景技術】
【０００２】水泳のトレーニング時に体をヒモで結んだり、股の間にはさんだり、手に持ったりして、体を浮かす補助器具は多数存在する。
【先行技術文献】
【０００３】体の一部を浮かして泳ぐ補助器具として
▲１▼ポリウレタン樹脂や、ポリエステル、発泡スチロール、ポリエチレン樹脂の重ね合せた板状の長方形の浮き板（ボード）。手に持ったり、体の下にあてたり、股の間にはさんだりして泳ぐ練習のための器具。大きさは、大（巾３０ｃｍ×長さ４０〜４５ｃｍ）や小（巾１７ｃｍ×長さ２５〜３０ｃｍ）、厚み３０〜４０ｍｍ。
▲２▼ヘチマ型の浮きマット。股、又は大腿部の間にはさんで足はあまり動かさずに手や腕、肩などの筋力アップのための補助器具。（厚み３，５〜８ｃｍ）、（巾１２ｃｍ〜長さ２３ｃｍ）。
▲３▼板状でその真中にバンドがあり、その中へ手や足を入れて、板で水をかき、より早く泳ぐための練習をする補助器具。
▲４▼四角、又は長方形の浮きマットを２〜４ケ所のヒモで体に結びつけたり、とめたりして、体を浮かして泳ぐ練習をする補助器具。
▲５▼円筒形で、中の穴にヒモを通して、そのヒモを腕や腹、足にまきつけて練習をする初心者用の補助器具。材質はポリウレタン、ポリエステル、ポリエチレル樹脂
▲６▼小さい空気袋で初心者が腕、胴、足などにヒモでまいて、おぼれないようにする補助器具。材質はＰ，Ｖ，Ｃ，塩化ビニール樹脂。
▲７▼ゴム製で長い水かきのついたクツで足を入れてより多くの水をかき、早く泳ぎスピード感を体感するための補助器具。スキューバーダイビングなどにも利用する。
▲８▼ドーナツ型の浮き輪、弱年者、初心者用としてドーナツの輪の中へ体を入れて、体を浮かして遊ぶ補助器具、材質はＰ，Ｖ，Ｃや塩化ビニール。
【考案の概要】
【０００４】水泳のトレーニング時に筋力の弱い高齢者や初心者は足から胴体にかけて、水に沈んでなかなか前へ進まない。水に沈むのを防ぐために胴体部、及び大腿部にゆるやかなカーブのＵ字状の厚み２０〜４０ｍｍの浮揚パットを水着の内側の前、後につくった袋に入れて、入り口をボタン、ホックなどでふたをして、胴体及び大腿部を水に浮かして、トレーニングをする。水泳の上達過程で浮揚パットの厚みは２，０、２，５、３，０、３，５、４０ｃｍと自由に入れかえのできる、胴体、及び大腿部、水泳浮揚パットと水着のセット。
【考案が解決しようとする課題】
【０００５】体力を維持するために、水泳をする高齢者や初心者が近年増えている。水泳は全身運動であり、体力維持のためにはより効果的であるが、高齢者や初心者は足や胴体部の筋力がないために水に沈んでなかなか前へ進まない。ビートボードなどの器具を手にもったり、体の下に置いたり、結びつけたりせずに、より自然体の水着姿で水面近くに体を浮かしトレーニングする方法はないのか。
【課題を解決するための手段】
【０００６】体の胴体部や大腿部の前と後の形状に合わせたゆるやかなカーブのＵ字状の浮揚パット、厚み２，０、２，５、３，０、３，５、４，０ｃｍとつくり、胴体と大腿部の寸法は体の大きさに合わせてＳ，Ｍ，Ｌ，ＬＬと子供用、大人用とつくる。材質はポリウレタン、ポリエチレン、ポリエステル、ポリプロピレン樹脂や、表をポリエステル、中を発泡スチロール、裏をポリエチレン樹脂の合成などでつくる。水泳パンツや水着の胴体部と大腿部の前と後の部分の内側にもう１枚の水着と同じ生地で二重にして下辺と両側面を、ぬい合せて袋状をつくり、入り口はボタンやホックの数個でその袋の中に入れた浮揚パットが外へ出ないように入り口をとめる。
また、袋の中のパットがぐらつかないように、水着の生地そのものを伸縮性の強いものにする方法とゴムバンド、面フアスナーなどで水着の上からしばる。
本考案の浮揚パットを入れる箇所と数は上達の程度で使用する人が決める。
【考案の効果】
【０００７】ビートボード、又は浮揚板を手で持ったり、ヒモで水着の上にくくりつけたりをせずに本考案はトレーニングの前、又は途中でも自由に水着の中へ浮揚パットのスペアーを出し入れをすることができ、肌に直接にふれないで肌ざわりもよく、体の体型に合った形を選別できて、水着の中へかくれるために、人の目をあまり気にすることがない。更に水泳の上達具合で浮揚パットの厚みも、入れる箇所（胴体部、大腿部の前とうしろ）も自由にかえることができる、水泳用、浮揚パットと水着とのセット。
【図面の簡単な説明】
【０００８】
【図１】本考案の正面図  （１）胴体部用  表、裏、  （２）大腿部用  表、裏、
【図２】本考案の側面図及び斜め図  （１）胴体部用  表、裏、  （２）大腿部用  表、裏、
【図３】本考案の上からの図  （１）胴体部用  表、裏、  （２）大腿部用  表、裏、
【図４】本考案を水着につけた図  （１）男子用  表、裏、  （２）女子用  表、裏、
【図５】伸縮する材質、ゴムバンド、又は面フアスナーでしばった図
【図６】袋の上部  ボタンの図
【符号の説明】
【０００９】▲１▼ゆるやかなカーブのＵ字状の浮揚パット
▲２▼水着（海水パンツ）
▲３▼水着の二重の箇所
▲４▼膝
▲５▼胴部
▲６▼大腿部
▲７▼ズリ落ち防止用ヒモ：伸縮する材質ゴム又は面フアスナー
▲８▼ボタン、フック
【考案を実施するための形態】
【００１０】▲１▼本考案のゆるやかなカーブのＵ字状の浮揚パットの大きさを人間の胴体部、及び大腿部の前後の大きさに対応するためにＳ、Ｍ、Ｌ、ＬＬなどの寸法につくることにより、人、それぞれに合った寸法のものを選ぶことができるようにする。
▲２▼水着の胴体部と大腿部の前後の内側にもう一枚の水着と同じ生地で二重にして下辺と両側をぬいつけることにより、袋をつくり、その袋の中へ本考案の浮揚パットを入れる。
▲３▼水着の袋の入口には中から浮揚パットが飛び出さないようにホックやボタン、又はフアスナーや面フアスナーなどでふたをする。
▲４▼激しい運動のために浮揚パットが体に密着しない場合や、水着が体にピッタリ合っていない場合は水着の材質を強い伸縮性のあるものにしたり、新たにずり落ち防止用の伸縮するゴム又はヒモ又は面フアスナーなどでしばる。
▲５▼一般的にはクロール、平泳ぎ、バタフライの場合は体の前部に、背泳ぎの場合は後部に浮揚パットを入れるのがよいが、前と後の両方に入れる場合もある。
入れる場所と数は上達の過程で決めることができる。
【産業上の利用可能性】
【００１１】近年、健康指向により、スイミングの人口が増えてきている。高齢者や初心者に取ってはより強い筋力をつくって、より正しいフオームで、より美しく泳ぐことは誰れもが望むことであるが、しかし、なかなかスムーズに泳げないのが現状である。本考案を利用して、他人の目をあまり気にすることなく、練習をすることにより、より正しい筋力アップとフオームの確保が可能になり、水泳のトレーニングをすることが楽しくなると共に、いつも健康体であり続けて、前向きの人生を送るための高齢者、初心者向け、胴体、及び大腿部、水泳用浮揚パットと水着のセット。